(57)【要約】【課題】断熱効果及び防雨効果が高く、かつ、持ち運びに便利なヘルメット装着用帽子を提供する。【解決手段】ヘルメット装着用帽子１０は、ヘルメット２０の上に被せて装着するものであり、キャップ部１１と、このキャップ部１１の周りに設けられた鍔部１２とを備え、発泡ポリエチレンにより構成されている。これにより、高い外断熱効果を得ることができると共に、重さを軽くすることができ、かつ、折り畳んで持ち運ぶことができる。【選択図】図２
0003205060.tif 000002
【実用新案登録請求の範囲】
【請求項１】
ヘルメットの上に被せて装着するヘルメット装着用帽子であって、
キャップ部と、このキャップ部の周りに設けられた鍔部とを備え、
発泡ポリエチレンよりなる
ことを特徴とするヘルメット装着用帽子。
【請求項２】
前記キャップ部には、前記鍔部の側から頭頂部に向かい、筋状に、外側又は内側に突出するように湾曲させたキャップ湾曲部が少なくとも１つ設けられた
ことを特徴とする請求項１記載のヘルメット装着用帽子。
【請求項３】
前記鍔部には、前記キャップ部の側から周縁部に向かい、筋状に、上側又は下側に突出するように湾曲させた鍔湾曲部が少なくとも１つ設けられた
ことを特徴とする請求項１又は請求項２記載のヘルメット装着用帽子。
【請求項４】
前記鍔部の幅は、１５ｃｍ以上３０ｃｍ以下であることを特徴とする請求項１から請求項３のいずれか１に記載のヘルメット装着用帽子。
【考案の詳細な説明】
【技術分野】
【０００１】
本考案は、ヘルメットの上に重ねて装着するヘルメット装着用帽子に関する。
【背景技術】
【０００２】
ヘルメットは、外部衝撃に対して頭部を保護するために、工事現場用および防災用などに広く使用されている。しかしながら、ヘルメット自体は、通常は、金属製または合成樹脂製もしくは繊維強化合成樹脂製であるために断熱性に乏しく、炎天の屋外作業においては直射日光をまともに受けるため、ヘルメット内の温度が極めて高くなってしまう。そのため、作業能率が低下し、場合によっては熱中症、日射病等の健康障害を起こす危険性があるという問題があった。
【０００３】
また、従来のヘルメットは、前側に小さな庇が付く程度であるので、降雨降雪時の雨や雪から顔面や後頭部及び首筋を保護する機能はほとんどなく、降雨降雪時には顔面や首筋が濡れてしまい、場合によっては、襟元から雨具の中に雨が入り込んで服が濡れてしまうという問題があった。
【先行技術文献】
【特許文献】
【０００４】
【特許文献１】特開２００６−２４９６２６号公報
【考案の概要】
【考案が解決しようとする課題】
【０００５】
そこで、従来より、このような問題点を解決するための提案がされている。例えば、特許文献１には、麦わら帽子をヘルメットの上に重ねて被せた防暑用ヘルメットが記載されている。しかしながら、この防暑用ヘルメットでは、断熱効果及び防雨効果が十分ではなく、また、麦わら帽子の部分がかさばるので持ち運びが不便であるという問題があった。
【０００６】
本考案は、このような問題に基づきなされたものであり、断熱効果及び防雨効果が高く、かつ、持ち運びに便利なヘルメット装着用帽子を提供することを目的とする。
【課題を解決するための手段】
【０００７】
本考案のヘルメット装着用帽子は、ヘルメットの上に被せて装着するものであって、キャップ部と、このキャップ部の周りに設けられた鍔部とを備え、発泡ポリエチレンよりなるものである。
【考案の効果】
【０００８】
本考案によれば、キャップ部と鍔部を設け、ヘルメットの上に被せて装着するようにしたので、既存のヘルメットに被せるだけで簡単に利用することができる。
【０００９】
また、発泡ポリエチレンにより構成するようにしたので、高い外断熱効果を有し、頭部の温度上昇を例えば７℃以上も低くすることができると共に、重さが１４０ｇ程度と軽いので、首に負担がかからず、長時間使用することができる。更に、ソフトタッチで復元性にも優れるので、しわにならず、折り畳んで持ち歩くことができる。
【００１０】
加えて、鍔部により、例えば、晴天時には肩まで日陰にすることができ、高い日よけ効果を得ることができると共に、雨天時には、雨しずくが襟元に落ちないようにすることができ、襟元から雨具の中に雨が入り込んで服が濡れてしまうことを防止することができる。しかも、鍔部を鋏などで簡単に切ることができるので、使用場所に合わせて大きさを調整することもできる。
【００１１】
更にまた、着色もできるので、作業職種などに応じて色分けするという使い方もできる。
【００１２】
また、キャップ部に、鍔部の側から頭頂部に向かい、筋状に、外側又は内側に突出するように湾曲させたキャップ湾曲部を設けるようにすれば、ヘルメットの形状や大きさが異なっても、キャップ湾曲部が広がることにより対応することができる。
【００１３】
更に、鍔部に、キャップ部の側から周縁部に向かい、筋状に、上側又は下側に突出するように湾曲させた鍔湾曲部を設けるようにすれば、強度を向上させることができ、鍔部の大きさを大きくすることができる。
【図面の簡単な説明】
【００１４】
【図１】本考案の一実施の形態に係るヘルメット装着用帽子を上から見た構成を表す図である。
【図２】図１に示したＩＩ−ＩＩ線に沿った断面構成を表す図である。
【図３】図１に示したヘルメット装着用帽子を横から見た構成を表す図である。
【考案を実施するための形態】
【００１５】
以下、本考案の実施の形態について、図面を参照して詳細に説明する。
【００１６】
図１は、本考案の一の実施の形態に係るヘルメット装着用帽子１０を上から見た構成を表すものである。図２は、図１に示したＩＩ−ＩＩ線に沿った断面構成を表すものである。図３は、ヘルメット装着用帽子１０を横から見た構成を表すものである。
【００１７】
このヘルメット装着用帽子１０は、ヘルメット２０の上に被せて装着するものであり、キャップ部１１と、このキャップ部１１の周りに設けられた鍔部１２とを備え、発泡ポリエチレンにより構成されている。発泡ポリエチレンにより構成することにより、高い外断熱効果が得られ、頭部の温度上昇を例えば５℃以上も低くすることができると共に、重さを例えば１００ｇ程度と軽くすることができ、かつ、折り畳んで持ち運ぶことができるようになっている。キャップ部１１及び鍔部１２の厚みは、例えば、４ｍｍ以上９ｍｍ以下であることが好ましい。
【００１８】
キャップ部１１は、ヘルメットの上に被せることができればどのような形状でもよいが、ヘルメットの外形に対応した形状、例えば、半球形状又は半楕円体状とされることが好ましい。また、キャップ部１１には、鍔部１２の側から頭頂部に向かい、筋状に、外側又は内側に突出するように湾曲させたキャップ湾曲部１１Ａが少なくとも１つ設けられていることが好ましい。ヘルメットの形状や大きさが異なっても、キャップ湾曲部１１Ａが広がることにより対応することができるからである。
【００１９】
なお、キャップ湾曲部１１Ａが外側に突出するように湾曲しているというのは、外表面及び内表面が共に外側に湾曲している場合であり、キャップ湾曲部１１Ａが内側に突出するように湾曲しているというのは、外表面及び内表面が共に内側に湾曲している場合である。図１及び図２では、外側に突出するように湾曲された４本のキャップ湾曲部１１Ａが設けられた場合について示している。
【００２０】
鍔部１２は、キャップ部１１の全周に設けられていることが好ましい。日よけ効果及び雨よけ効果を高めることができるからである。鍔部１２の幅は、例えば、１５ｃｍ以上３０ｃｍ以下とすることが好ましい。なお、鍔部１２は、発泡ポリエチレンにより構成されているので、鋏などで簡単に切ることができ、使用場所に合わせて大きさを調整することも可能である。
【００２１】
鍔部１２には、キャップ１１部の側から周縁部に向かい、筋状に、上側又は下側に突出するように湾曲させた鍔湾曲部１２Ａが少なくとも１つ設けられていることが好ましい。強度を向上させることができるからである。なお、鍔湾曲部１２Ａが上側に突出するように湾曲しているというのは、外表面及び内表面が共に上側に湾曲している場合であり、鍔湾曲部１２Ａが下側に突出するように湾曲しているというのは、外表面及び内表面が共に下側に湾曲している場合である。また、鍔湾曲部１２Ａは、例えば、鍔部１２の中心位置から周縁部に向かい放射状に形成されることが好ましい。図１及び図２では、上側に突出するように湾曲された１２本の鍔湾曲部１２Ａが放射状に設けられた場合について示している。
【００２２】
このヘルメット装着用帽子１０は、例えば、ヘルメット２０の外側に上からキャップ部１１を被せて用いる。また、使用場所に応じて、鍔部１２の大きさが大きすぎる時には、鍔部１２を切って大きさを調整する。更に、作業職種などに応じて異なる色のヘルメット装着用帽子１０用いるようにすることもできる。持ち運ぶ際には、折り畳んで小さくすることができる。
【００２３】
このように本実施の形態によれば、キャップ部１１と鍔部１２を設け、ヘルメット２０の上に被せて装着するようにしたので、既存のヘルメット２０に被せるだけで簡単に利用することができる。
【００２４】
また、発泡ポリエチレンにより構成するようにしたので、高い外断熱効果を有し、頭部の温度上昇を例えば５℃以上も低くすることができると共に、重さが１００ｇ程度と軽いので、首に負担がかからず、長時間使用することができる。更に、ソフトタッチで復元性にも優れるので、しわにならず、折り畳んで持ち歩くことができる。
【００２５】
加えて、鍔部１２により、例えば、晴天時には肩まで日陰にすることができ、高い日よけ効果を得ることができると共に、雨天時には、雨しずくが襟元に落ちないようにすることができ、襟元から雨具の中に雨が入り込んで服が濡れてしまうことを防止することができる。しかも、鍔部１２を鋏などで簡単に切ることができるので、使用場所に合わせて大きさを調整することもできる。
【００２６】
更にまた、着色もできるので、作業職種などに応じて色分けするという使い方もできる。
【００２７】
また、キャップ部１１に、鍔部１２の側から頭頂部に向かい、筋状に、外側又は内側に突出するように湾曲させたキャップ湾曲部１１Ａを設けるようにすれば、ヘルメット２０の形状や大きさが異なっても、キャップ湾曲部１１Ａが広がることにより対応することができる。
【００２８】
更に、鍔部１２に、キャップ部１１の側から周縁部に向かい、筋状に、上側又は下側に突出するように湾曲させた鍔湾曲部１２Ａを設けるようにすれば、強度を向上させることができ、鍔部１２の大きさを大きくすることができる。
【００２９】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００３０】
１０…ヘルメット装着用帽子、１１…キャップ部、１１Ａ…キャップ湾曲部、１２…鍔部、１２Ａ…鍔部湾曲部、２０…ヘルメット
【図１】
0003205060.tif 000003
【図２】
0003205060.tif 000004
【図３】
0003205060.tif 000005